(57)【要約】【課題】  工事現場や一時的なイベントの仮設会場等に当たる特設区域を区画する仮囲いの表面を緑化するに際し、製作過程の簡素、簡便化を図り、工期の短縮、製作人工の減少等により、経済効果も優れた好適な仮囲い壁面の緑化工法を提供することを課題とする。【解決手段】  特設区域の境界部に仮囲いを設置し、同仮囲いの壁面に多数のポケットプランターを係止し、同ポケットプランターに緑化植物を植え込んで緑化面を形成することにより仮囲い壁面の緑化工法を構成し、簡便、かつ安価に、工事現場の存在を感じさせない癒しの空間とイベントの内容に相応しい周辺雰囲気の空間を画成することが出来た。【選択図】            図１
2006067900.tif 000002
【特許請求の範囲】
【請求項１】
工事現場や仮設イベント会場等の特設区域の境界部に仮囲いを設置し、同仮囲いの壁面に多数のポケットプランターを係止し、同ポケットプランターに緑化植物を植え込んで緑化面を形成することを特徴とする仮囲い壁面の緑化工法。
【請求項２】
前記仮囲いの壁面に多数のポケットプランターを係止するに先立ち、同仮囲いの壁面に灌水マットを設けたことを特徴とする請求項１に記載の仮囲い壁面の緑化工法。
【請求項３】
前記仮囲いは、緑化面の裏面に同仮囲いの立設方向に延びる灌水供給管を設けたことを特徴とする請求項１又は２に記載の仮囲い壁面の緑化工法。
【請求項４】
前記仮囲いは、緑化面の裏面に前記灌水供給管を囲んで前記仮囲いの立設方向に延びる保護部材を設けたことを特徴とする請求項３に記載の仮囲い壁面の緑化工法。
【請求項５】
前記ポケットプランターは、合成繊維、椰子繊維、プラスチック、陶器等で造られたものを採用したことを特徴とする請求項１乃至４の何れかに記載の仮囲い壁面の緑化工法。
【請求項６】
前記仮囲いは、前記ポケットプランターに植え込んだ緑化植物に灌水するドリップチューブ又はスプリンクラーを設けたことを特徴とする請求項１乃至５の何れかに記載の仮囲い壁面の緑化工法。
【発明の詳細な説明】
【技術分野】
【０００１】
本発明は、屋外でのライブコンサートや屋外展示会等のように、屋外で催される一時的なイベントの場として供する仮設会場、又は所定の工事期間中に工事器具や器材の搬出、搬入を含めて所定の作業で混雑する所謂工事現場等（本明細書中で「特設区域」と総称する）において、同特設区域の境界部に設置されて外部との境界を区画し、また、外部からの視界を遮断する仮囲いを設け、同仮囲いの壁面を緑化する緑化工法に関するものである。
【背景技術】
【０００２】
地球規模での温暖化現象やヒートアイランド現象が顕著となって来た昨今、その対応策として、首都圏のみならず地方都市においても家屋の屋上の緑化技術（緑化システム）が進歩し、更に加えて家屋の壁面、そして家屋に付随する塀の表面等の緑化も行われるようになっている。
【０００３】
このような壁面等の緑化技術とは一定の距離を置くものの、環境の安全、保全という概念の中で共通の接点を持つこととなる建設工事の現場において、特に昨今の都会の工事現場では、住人や通行人に対する安全な環境の確保を図り、また、工事現場の内部を部外者の視界から遮断する環境下に置くことを狙いとして、同工事現場の周縁に仮囲いを設置することが行われている。
【０００４】
また、上記の工事現場とは直接的な関係はないが、屋外でのライブコンサート、屋外での展示展覧会等を一時的に開催する仮設会場でも同会場の境界を区画するのに、上記工事現場に用いた仮囲いを利用し、これを会場の境界に設置することが行われている。
【０００５】
すなわち、上記のような工事現場、及びライブコンサートや展示展覧会等のように屋外で催される一時的なイベントの仮設会場等である特設区域においては、同特設区域を区画する仮囲いは、特に図示はしないが、上下方向に延びる支持パイプ、これと交叉して幅方向に延びる布パイプ、前記支柱パイプと上下方向に斜めに交叉して同支柱パイプを支える控えパイプ、前記支柱パイプと控えパイプ間を繋ぐ捨パイプ等々を組み立てて基礎構造とし、この基礎構造に仮囲いを支持させて境界部を区画している。
【０００６】
なお、ここで「仮囲い」とは、通常、幅４〜５０センチメートルで高さが１〜２メートル程度の縦長の板状帯であって、人が容易に持ち運び出来る程度の単体部材を呼称することと、同単体部材を多数用意し、複数枚の単体部材をそれぞれの側端部で幅方向に連結し、前記したパイプ構造で支持して塀状に組み立てたものを呼称することとが出来るが、本明細書中では上記単体部材及びその複数枚で構成された塀状の組み立て体の両方をそれぞれ共に「仮囲い」と称呼する。
【特許文献１】特開２００２−２７２２８１号公報（図２の壁面構造体１、植生マット５、プランター１０）
【発明の開示】
【発明が解決しようとする課題】
【０００７】
前記したように、従来の工事現場、及び屋外で催される一時的なイベントの仮設会場等に当たる特設区域を区画する仮囲いは、設置の狙いである通行人の安全の確保と部外者の視界遮断、又は会場の境界区画という直接的な目標は素直に達成することが出来るものの、仮囲いの表面から受ける感触は工事現場の雰囲気を如実に表現した殺伐としたものであることは否めず、繁華街の工事現場、又は華やかなムードを大切にするイベント会場の区画としては場違いな雰囲気を醸しだすという問題点を伴うものであった。
【０００８】
本発明はこのような点に鑑みてなされたものであり、上記した特設区域を区画する仮囲いを単なる区画機能に終わらせることなく、家屋壁面等の緑化技術と巧みに組み合わせることにより、この種仮囲いの機能を刷新し、道行く人に癒しの感覚を与え、イベントの盛り上げへの貢献、寄与を図る新規な機能を追加した仮囲い壁面の緑化工法を提供することを課題とするものである。
【０００９】
しかもこの緑化された仮囲いは、その製作過程の簡素、簡便化を図り、工期の短縮、製作人工の減少等により、経済効果も優れて玉成された好適な仮囲い壁面の緑化工法を提供することを課題とするものである。
【課題を解決するための手段】
【００１０】
本発明は前記した課題を解決すべくなされたもので、請求項１〜６にそれぞれ記載の各発明に応じて、以下に第１〜第６の手段に区分けして説明すると、本発明はその第１の手段として、工事現場や仮設イベント会場等の特設区域の境界部に仮囲いを設置し、同仮囲いの壁面に多数のポケットプランターを係止し、同ポケットプランターに緑化植物を植え込んで緑化面を形成することを特徴とする仮囲い壁面の緑化工法を提供するものである。
【００１１】
また、第２の手段として、前記第１の手段において、前記仮囲いの壁面に多数のポケットプランターを係止するに先立ち、同仮囲いの壁面に灌水マットを設けたことを特徴とする仮囲い壁面の緑化工法を提供するものである。
【００１２】
また、第３の手段として、前記第１又は２の手段において、前記仮囲いは、緑化面の裏面に同仮囲いの立設方向に延びる灌水供給管を設けたことを特徴とする仮囲い壁面の緑化工法を提供するものである。
【００１３】
また、第４の手段として、前記第３の手段において、前記仮囲いは、緑化面の裏面に前記灌水供給管を囲んで前記仮囲いの立設方向に延びる保護部材を設けたことを特徴とする仮囲い壁面の緑化工法を提供するものである。
【００１４】
また、第５の手段として、前記第１乃至４の何れかの手段において、前記ポケットプランターは、合成繊維、椰子繊維、プラスチック、陶器等で造られたものを採用したことを特徴とする仮囲い壁面の緑化工法を提供するものである。
【００１５】
そしてまた、第６の手段として、前記第１乃至５の何れかの手段において、前記仮囲いは、前記ポケットプランターに植え込んだ緑化植物に灌水するドリップチューブ又はスプリンクラーを設けたことを特徴とする仮囲い壁面の緑化工法を提供するものである。
【発明の効果】
【００１６】
すなわち、本出願の請求項１に記載の発明によれば、工事現場や仮設イベント会場等の特設区域の境界部に仮囲いを設置し、同仮囲いの壁面に多数のポケットプランターを係止し、同ポケットプランターに緑化植物を植え込んで緑化面を形成することにより仮囲い壁面の緑化工法を構成しているので、工事現場や仮設イベント会場等の特設区域は、その境界に張りめぐらして立設された仮囲いにより外部と一線を画して区分され、工事現場にあっては近隣の住人や通行人に対する安全な環境の確保を図ると共に工事現場の内部を部外者の視界から遮断する環境下に置き、また、仮設イベント会場にあっては会場の境界を明確に区画する。
【００１７】
しかも、前記仮囲いの壁面に係止された多数のポケットプランターに緑化植物を植え込んで形成された同仮囲いの緑化壁面により、工事現場にあっては近隣の住人や通行人に殺伐とした工事現場の存在を感じさせることもなく癒しの感覚を喚起させ、仮設イベント会場にあってはイベントの内容に相応しい周辺雰囲気の醸成に寄与することとなる。
【００１８】
また本発明によるこの緑化壁面とした仮囲いは、仮囲いの設置、ポケットプランターの係止、緑化植物の植え込み、という個別的にシンプルな工程をテンポ良く組み合わせることにより得られたものであり、この工程自体格別大掛かりなものではなく、容易かつ安価に実行することが出来るものである。
【００１９】
また、請求項２に記載の発明によれば、前記請求項１に記載の発明において、前記仮囲いの壁面に多数のポケットプランターを係止するに先立ち、同仮囲いの壁面に灌水マットを設けて仮囲い壁面の緑化工法を構成したものであり、特設区域に設置される仮囲いの壁面にポケットプランターを係止する以前に、同設置現場又は現場以外の適宜の場所で同仮囲いの壁面に灌水マットを張り付け又はボルト止め等適宜の手段で予め設けておくことにより、同仮囲いの壁面に係止されたポケットプランターに植え込まれる緑化植物への灌水は、簡便な工事で確実、かつ適切に行き渡り、仮囲い壁面の緑化が好適に行われることになる。
【００２０】
また、請求項３に記載の発明によれば、前記請求項１又は２に記載の発明において、前記仮囲いは、緑化面の裏面に同仮囲いの立設方向に延びる灌水供給管を設けて仮囲い壁面の緑化工法を構成したものであり、前記したように仮囲いの設置、ポケットプランターの係止、緑化植物の植え込み、というステップで構成されるいわゆる仮囲いは、その裏面に灌水供給管を仮囲いの立設方向に延ばして設けているので、同仮囲いを単体状のものに分解した場合における灌水供給管は、単体状の仮囲い毎に各単体状の仮囲いと一体化した状態で分解でき、同単体状の仮囲いの持ち運びを含めて取り扱いの便が良く、しかも新たな組み合わせの自由度も高いものとすることが出来る。
【００２１】
また、請求項４に記載の発明によれば、前記請求項３に記載の発明において、前記仮囲いは、緑化面の裏面に前記灌水供給管を囲んで前記仮囲いの立設方向に延びる保護部材を設けて仮囲い壁面の緑化工法を構成したものであり、前記仮囲いの裏面に同仮囲いの立設方向に延びて設けた灌水供給管に対し、保護部材が同灌水供給管を囲む形態で仮囲いの立設方向に延びて設けられているので、同保護部材は文字通り灌水供給管の保護を行うと共に、立設された仮囲いの強度部材となり、信頼性に富んだ仮囲いを得ることが出来るものである。
【００２２】
また、請求項５に記載の発明によれば、前記請求項１乃至４の何れかに記載の発明において、前記ポケットプランターは、合成繊維、椰子繊維、プラスチック、陶器等で造られたものを採用して仮囲い壁面の緑化工法を構成したものであり、前記したように仮囲いの設置、ポケットプランターの係止、緑化植物の植え込み、というステップで構成されるいわゆる仮囲いにおける前記ポケットプランターは、それ自身が通水性を有する合成繊維や椰子繊維で造られたものであっても、また、それ自身は通水性に欠けるプラスチックや陶器で造られたものであっても良いが、請求項２で特定したように壁面に灌水マットを設け、灌水が同灌水マットを介して行われる場合には、例えばプラスチックや陶器製のポケットプランターの一部に前記灌水マットとの間で、灌水が伝わる経路を設けることが好ましいが、要するに汎用的な合成繊維、椰子繊維、プラスチック、陶器等で造られたポケットプランターにより、仮囲いの壁面の緑化を容易、簡便に実行することが出来たものである。
【００２３】
そしてまた、請求項６に記載の発明によれば、前記請求項１乃至５の何れかに記載の発明において、前記仮囲いは、前記ポケットプランターに植え込んだ緑化植物に灌水するドリップチューブ又はスプリンクラーを設けて仮囲い壁面の緑化工法を構成したものであり、灌水供給管に連通してポケットプランターに植え込まれた緑化植物に灌水する手段としては、各ポケットプランター自身に向かって個別的に開口するドリップチューブか、又は、適宜のポケットプランターの上方から散水状に灌水を行うスプリンクラーが好ましいものとなり、仮囲いの設置状況、ポケットプランターに植え込まれる緑化植物の種類等に応じて、好適な方を選択し、好適な灌水を行うことが出来ることとなるものである。
【発明を実施するための最良の形態】
【００２４】
本発明の実施の第１形態について図１乃至図４に基づいて説明する。
図１は本実施の形態に係る仮囲い壁面の全貌を概略的に示す表立面図、図２は図１に対応する位置の裏立面図、図３は図２のＡ−Ａ断面拡大図、図４は図１の要部を拡大して示す側方断面図である。
【００２５】
本実施の形態において、１は仮囲いを示し、同仮囲い１は鋼板製の単体部材の仮囲い１ａを多数集め、隣り合う各単体部材としての仮囲い１ａの側端部を互いに連結し、幅方向に長く連続する塀又は壁状にした仮囲い１を形成している。
【００２６】
すなわち、上記単体部材としての仮囲い１ａの大きさの一例を挙げれば、横幅５０センチメートル、高さ２メートル、厚さ数ミリメートル程度の縦長の薄板鋼板製の板状帯であって、人が持ち運び出来る程度のものであり、高さ方向に延びる両側の端部には、隣接する仮囲い１ａ同志が弾性力によりワンタッチで嵌め外しして連結又は解体出来る溝状の連結部が設けられている。
【００２７】
従って複数の単体部材の仮囲い１ａを上記連結部で連結し、幅方向に長く延びて連続する塀状又は壁状に広くなった仮囲い１は、図では必ずしも明確ではないが建設工事の現場やイベントの仮設会場等の特設区域の周縁に立設され、その境界を区画する。
【００２８】
なお、上記した仮囲い１ａの両側端の連結部の嵌め合いだけで、塀又は壁状に拡がった仮囲い１としての強度が保たれるものではなく、特に図示はしないが、上下方向に延びる支持パイプ、これと交叉して幅方向に延びる布パイプ、前記支柱パイプと上下方向に斜めに交叉して同支柱パイプを支える控えパイプ、前記支柱パイプと控えパイプ間を繋ぐ捨パイプ等を建築現場の足場状に組み立てて基礎構造となる支持体を構成し、同支持体に仮囲い１を支持させることになるが、この点は本発明の主要部ではないので、ここでは詳細な説明は省略する。
【００２９】
２はポケットプランターで、同ポケットプランター２は合成繊維、椰子繊維、プラスチック、陶器等で造られたものを採用することができ、仮囲い１の表面にボルト・ナット３で止められているが、ここで係止部材としてはボルト・ナット３に限らず、例えばＳ字状に湾曲させたフック金具を用いて係止することもできる。
【００３０】
また、図１ではポケットプランター２を仮囲い１の表面に縦・横方向で規則正しく整列させたものとして示しているが、このように規則正しく配列させる場合には、仮囲い１ａの量産化を含め、仮囲い１の表面に対するポケットプランター２の係止に至る一連の作業の単純化を図れるので、コスト低減に反映されるという好ましい点もあるが、このポケットプランター２の配置配列はそれに植え込む緑化植物の種類、仮囲い１の設置場所の周辺環境、又は仮囲い１の設置目的等々の条件に応じて適宜選択しうるものであることは勿論である。
【００３１】
４は灌水本管で、同灌水本管４は仮囲い１の裏面側で、かつ、同仮囲い１の下方部分に相当する位置で、同仮囲い１の横幅方向に沿って配設されており、図示省略の電磁弁等を含んで構成される制御部を介して、水流を調整、制御されるようになっている。
【００３２】
５は灌水供給管で、同灌水供給管５は仮囲い１を構成する単体部材としての複数の仮囲い１ａのそれぞれに対応し、縦長の各仮囲い１ａの立設方向に延びて設けられ、かつ、各灌水供給管５はその根部で接続部５ａを介して上記灌水本管４と個々に着脱自在に構成されている。
【００３３】
６はドリップチューブで、同ドリップチューブ６は一端を前記灌水供給管５に連通し、前記仮囲い１ａを貫通してその裏側から表側に延び、他端を上記ポケットプランター２の上で開口することにより、灌水本管４から接続部５ａ、灌水供給管５を経由して供給される灌水をポケットプランター２に向けて滴下するように構成されている。
【００３４】
なお、図示省略するが、上記ドリップチューブ６に代えてスプリンクラーを採用すること、又はドリップチューブ６とスプリンクラーを適宜混ぜて採用することも勿論可能であり、スプリンクラーを用いた場合には、広範囲をカバーした灌水や緑化植物の表面から散布する灌水等々灌水形態の変形も行えるので、仮囲い１の壁面に対するポケットプランター２の配置配列のバリエーションを拡張することもできる。
【００３５】
７は保護カバーで、同保護カバー７は前記灌水供給管５のそれぞれに対応して各仮囲い１ａの裏側に配設され、各灌水供給管５を外側から囲んで仮囲い１ａの立設方向に延び、かつ、各仮囲い１ａにボルト７ａ等の適宜な取付け具で強固に固定して設けられている。
【００３６】
なお、８はポケットプランター２に植付けされた緑化植物を示し、同緑化植物８はポケットプランター２に植え込まれることからその種類の選択、選定は、一般の屋上緑化、壁面緑化の場合に求められるような厳しい制約はなく、一般家庭のベランダや庭の花壇で育成される草花まで幅広く対象とすることが出来るので、仮囲い１の緑化形態を多様化することができる。
【００３７】
すなわち、本実施の形態では、工事現場、又はライブコンサートや展示展覧会等のように屋外で催される一時的なイベントの仮設会場等の特設区域で、同特設区域の境界部に上記した各種パイプ材を組み合わせた支持体（基礎構造）を構築し、複数の単体部材としての仮囲い１ａをその側端の連結部の嵌め合いをしながら上記支持体に取付け、塀状又は壁状に拡がった仮囲い１を構築する。
【００３８】
この過程で仮囲い１の裏面では灌水本管４の設置、同灌水本管４に対する各仮囲い１ａ毎に設けた灌水供給管５の接続（接続部５ａでの連結）及び各灌水供給管５に対応する保護カバー７の固着を行う。
【００３９】
なお、仮囲い１ａに対する灌水供給管５の取付けは、上記特設区域で行っても、また更に上流工程の例えば仮囲い１ａの製造過程で行ってもよく、同様に保護カバー７の固着も現地工事又は上流工程と選択することも出来るが、上記灌水供給管５と灌水本管４との接続終了後現地において固定の確認は必要であり、現地工事とすることが好ましい。
【００４０】
上記のようにして仮囲い１の設置が進捗すると、その設置完了を待ち、又は未完了であってもその設置と並行して設置の進捗に応じて仮囲い１の表面に適宜ポケットプランター２をボルト・ナット３により固定し、次いで同ポケットプランター２に緑化植物の植え込みを行い、かつ、図示省略の電磁弁等の制御部を含め灌水本管４、接続部５ａ、灌水供給管５、ドリップチューブ６と連なる灌水系統を機能可能に調整する。
【００４１】
かくして本実施の形態によれば、工事現場、又はライブコンサートや展示展覧会等のように屋外で催される一時的なイベントの仮設会場等の特設区域を区画する仮囲い１の緑化が完成し、上記工事現場の内部を部外者の視界から遮断する環境下に置き、仮設イベント会場の境界を明確に区画することに加えて、上記特設区域が工事現場の場合には近隣の住人や通行人に安全な環境を確保した上、殺伐とした工事現場の存在を感じさせることもなく癒しの感覚を喚起させ、また、仮設イベント会場の場合にはイベントの内容に相応しい周辺雰囲気の醸成に寄与することとなる。
【００４２】
しかも緑化の対象となる仮囲い１を構築する単位部材としての仮囲い１ａは、それ自体持ち運び、移動が容易であり、仮囲い１に対して仮囲い１ａを部分的、局部的に取替えが容易に行えるので、緑化模様の多様化にも対応することが出来、工事現場や一時的なイベント会場等の特設区域に求められる変化、変動に容易に追従し、応用性に富んだ緑化壁面を得ることが出来る。
【００４３】
なお、前記仮囲い１の緑化を安定して長期に維持することに寄与する灌水系統に着目すると、灌水供給管５を仮囲い１ａの立設方向に延ばして設けているので、同灌水供給管５と仮囲い１ａは一体構造物となって仮囲い１の構築及び解体がなされ、持ち運びを含めて取り扱いの便が良く、しかも新たな組み合わせの自由度も高いものとすることが出来る。
【００４４】
しかも前記灌水供給管５は、その外側を囲んで保護カバー７を設け、同保護カバー７を仮囲い１ａに対して強固に固定しているので、同保護カバー７は文字通り灌水供給管５の保護を行うと共に、立設された仮囲い１ａの強度部材となり、安全性、信頼性に富んだ仮囲い１を得ることが出来る。
【００４５】
なお、ここでは仮囲い１の表面に取り付けられるポケットプランター２は、通水性を有する合成繊維、椰子繊維、又は通水性に欠けるプラスチック、陶器等のごく普遍的な素材のものでよく、しかも固着、固定手段としてはボルト・ナット３で代表される簡便な係止部材で足りるので、設備全体のコスト低減にも寄与し、取り扱いも容易で経済効果に富んだ設備を得ることができる。
【００４６】
そしてまた、前記灌水供給管５の先端にはドリップチューブ６又はその他スプリンクラー等の散水部材を設置して、ポケットプランター２に植え込まれた緑化植物８に灌水を行うので、灌水は的確に実行され、しかもこの散水部材は緑化植物８の種類等に応じてより適切なものに適宜交換することも可能である。
【００４７】
次に本発明の実施の第２形態について図５及び図６に基づいて説明する。
図５は本実施の形態に係る仮囲い壁面の全貌を概略的に示す表立面図、図６は図５の要部を拡大して示す側方断面図である。
【００４８】
本実施の形態は、その主要部分を前記実施の第１形態とほとんど同一とし、前記実施の第１形態と大きく異なる点は仮囲いの表面に灌水マットを設けた点に絞られるので、同実施の第１形態と同一部位については図中に同一の符号を付して示し、同実施の第１形態の説明を全面的に援用することで説明が重複冗長とならないようにし、上記相違点に焦点を当てて説明する。
【００４９】
すなわち本実施の形態において、１０は灌水マットで、同灌水マット１０は仮囲い１の表面に配置され、ポケットプランター２を固定するためのボルト・ナット３及び他のボルト・ナット１３により仮囲い１ａに対して固定されている。
【００５０】
ここでボルト・ナット３と共働して前記灌水マット１０を固定する他のボルト・ナット１３は、仮囲い１の上端位置に配置されたドリップチューブ１２をこの位置に支持する止め金具１４の固定具の役割を兼ねている。
【００５１】
また、ポケットプランター２は、前記実施の第１形態と同様に合成繊維、椰子繊維、プラスチック、陶器等で造られたものであるが、このうち通水性の有る合成繊維又は椰子繊維で造られたものを採用する場合は、ポケットプランター２へ供給される灌水はドリップチューブ１２から滴下され、灌水マット１０を介してポケットプランター２へ伝わるので特に問題ないが、同ポケットプランター２が通水性に欠けるプラスチック又は陶器で造られたものを採用する場合には、灌水がポケットプランター２まで供給されないことが有るので、その場合にはプラスチック又は陶器製のポケットプランター２が灌水マット１０に当接する部位の一部を切り欠くとか、又は適宜の通水部材を補ってこの部位に通水部１５を形成しておくことが好ましい。
【００５２】
そしてまた、本実施の形態においては、仮囲い１の表面に配置される灌水マット１０は、工事現場、又は一時的なイベントの仮設会場等の特設区域の境界に仮囲い１を設置する際に仮囲い１の表面に配置し、ボルト・ナット３、１３で固着するのが好ましいが、仮囲い１ａそれ自体を工場で製造する工程でその表面に接着等により固着して設置するようにしてもよい。
【００５３】
かくして本実施の形態によればポケットプランター２に植え込まれた緑化植物８に対する灌水が確保され、仮囲い壁面の緑化が好適に行われることになる。
【００５４】
なお図示省略しているが、上記したように本実施の形態も前記実施の第１形態と同様に灌水供給管、同灌水供給管の保護カバー等を設けても良いことは勿論であり、また、仮囲い１ａを多数用いて仮囲い１を形成する基本的なステップは前記実施の第１形態と同一であるので、前記実施の第１形態と同様の作用効果を奏し得ることは勿論である。
【００５５】
以上、本発明を図示の実施の形態について説明したが、本発明はかかる実施の形態に限定されず、本発明の範囲内でその具体的構造に種々の変更を加えてよいことはいうまでもない。
【図面の簡単な説明】
【００５６】
【図１】本発明の実施の第１形態に係る仮囲い壁面の全貌を概略的に示す表立面図である。
【図２】図１に対応する位置の裏立面図である。
【図３】図２のＡ−Ａ断面拡大図である。
【図４】図１の要部を拡大して示す側方断面図である。
【図５】本発明の実施の第２形態に係る仮囲い壁面の全貌を概略的に示す表立面図である。
【図６】図５の要部を拡大して示す側方断面図である。
【符号の説明】
【００５７】
１        仮囲い
１ａ      仮囲い
２        ポケットプランター
３        ボルト・ナット
４        灌水本管
５        灌水供給管
５ａ      接続部
６        ドリップチューブ
７        保護カバー
７ａ      ボルト
８        緑化植物
１０        灌水マット
１２        ドリップチューブ
１３        ボルト・ナット
１４        止め金具
１５        通水部
【図１】
2006067900.tif 000003
【図２】
2006067900.tif 000004
【図３】
2006067900.tif 000005
【図４】
2006067900.tif 000006
【図５】
2006067900.tif 000007
【図６】
2006067900.tif 000008